(57)【特許請求の範囲】
【請求項１】
筐体内に弾性支持した水槽と、前記水槽内に回転可能に設けたドラムと、前記ドラムを回転駆動するモータと、前記水槽の背面部に設けられた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口に設けられ前記循環風路を開閉する風路シャッタと、前記風路シャッタを駆動する駆動手段とを備え、
前記導入口を開いたときに前記風路シャッタが収容される収容部が前記導入口に近接して設けられた洗濯乾燥機。
【請求項２】
筐体内に弾性支持した水槽と、前記水槽内に回転可能に設けたドラムと、前記ドラムを回転駆動するモータと、前記水槽の背面部に設けられた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口に設けられ前記循環風路を開閉する風路シャッタと、前記風路シャッタを駆動する駆動手段とを備え、
前記風路シャッタは、前記導入口を閉じる方向に付勢する付勢手段を有し、前記駆動手段は、前記付勢手段の付勢力に抗して前記導入口を開くようにした洗濯乾燥機。
【請求項３】
筐体内に弾性支持した水槽と、前記水槽内に回転可能に設けたドラムと、前記ドラムを回転駆動するモータと、前記水槽の背面部に設けられた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口に設けられ前記循環風路を開閉する風路シャッタと、前記風路シャッタを駆動する駆動手段とを備え、
前記風路シャッタは、一端に前記風路シャッタを回動自在に支持する回動軸を設け、前記回動軸上に設けた第１の歯車と、前記第１の歯車と噛み合う第２の歯車と、前記第２の歯車の回転軸上に設けた第３の歯車と、前記第３の歯車と噛み合い、かつ、駆動手段と連結された第４の歯車と、前記第２の歯車の回転軸上に設けたワンウェイクラッチを有し、前記第２の歯車の一部に切欠部を設けて前記第１の歯車との連係を解除可能に構成した洗濯
乾燥機。
【請求項４】
前記風路シャッタの一端に前記風路シャッタを回動自在に支持する回動軸を設け、前記風路シャッタは、前記駆動手段により前記回動軸を中心に水槽側へ回動して前記導入口を開くようにした請求項１〜３のいずれか１項に記載の洗濯乾燥機。
【発明の詳細な説明】
【技術分野】
【０００１】
本発明は、衣類等の洗濯と乾燥がおこなえる洗濯乾燥機に関するものである。
【背景技術】
【０００２】
従来、この種の洗濯乾燥機は、洗濯、すすぎ、脱水の各工程に続いて、乾燥をおこなうことができる。洗濯〜乾燥の各工程は、水槽内に設けた共通のドラム内でおこなわれるため、洗濯工程時に発生する洗剤泡が、乾燥工程時にドラム内へ乾燥用空気を送風するために設けられている循環風路に流入しないように構成することが要求される。
【０００３】
洗濯時に投入される洗剤の種類や量の決定は、使用者に委ねられているため、洗剤泡が水槽内で大量に発生する状態を想定し、乾燥工程を実行するために設けられた構成要素、すなわち、内部に送風手段、除湿手段、加熱手段等が設けられている循環風路への流入を防止することが考えられている（例えば、特許文献１参照）。
【０００４】
図６は、特許文献１に記載された従来のドラム式洗濯乾燥機を示すものである。図６において、回転ドラムを内包した水槽５１の後面に開口する吸気口５２に循環風路５３を接続し、循環風路５３の吸気口５２近傍に循環風路５３を開閉する風路シャッタ５４を設けている。循環風路５３を流れる乾燥用空気は、循環風路５３に接続されたヒートポンプ装置５５により除湿および加熱されて水槽５１に循環し、洗濯物を乾燥させる。
【０００５】
風路シャッタ５４は、コイルバネからなる付勢手段５６によって循環風路５３を開くように付勢されており、洗濯工程時は、ギアドモータからなる駆動手段５７により、付勢手段５６による付勢力に抗して風路シャッタ５４を駆動し、循環風路５３を閉じることにより、水槽５１内で大量に洗剤泡が発生して吸気口５２から溢れ出した場合でも、循環風路５３内への侵入を防止する。
【０００６】
また、乾燥工程時は、駆動手段５７をオフにし、付勢手段５６により循環風路５３を開くように風路シャッタ５４を付勢し、乾燥用空気が流通するようにしたものである。
【先行技術文献】
【特許文献】
【０００７】
【特許文献１】特開２００７−１３５９５７号公報
【発明の概要】
【発明が解決しようとする課題】
【０００８】
しかしながら、前記従来の構成では、循環風路５３を開閉する風路シャッタ５４が循環風路５３内の途中に設けられているため、風路シャッタ５４が設けられている部分で風路断面積が小さくなる。そのため、循環風路５３を流れる乾燥用空気の圧損が大きくなり、乾燥効率が悪く乾燥運転時の消費電力量が増加するという課題があった。
【０００９】
本発明は、従来の課題を解決するもので、循環風路の圧損を少なくして、循環風路内への洗剤泡の侵入を防止することができる洗濯乾燥機を提供することを目的とする。
【課題を解決するための手段】
【００１０】
前記従来の課題を解決するために、本発明の洗濯乾燥機は、水槽内に回転可能に設けたドラムと、前記ドラムを回転駆動するモータと、前記水槽の背面部に設けられた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口に設けられ前記循環風路を開閉する風路シャッタと、前記風路シャッタを駆動する駆動手段とを備え、前記導入口を開いたときに前記風路シャッタが収容される収容部が前記導入口に近接して設けられたものである。
【００１１】
これによって、風路シャッタを循環風路の外に配設することができ、風路シャッタによって循環風路の断面積が部分的に狭められることがなく、循環風路の圧損を少なくして、循環風路内への洗剤泡の侵入を防止することができる。さらに、風路シャッタを回動により水槽側へ大きく変位させて導入口を開放することができ、循環風路からの乾燥用空気の導入を容易にすることができる。
【発明の効果】
【００１２】
本発明の洗濯乾燥機は、循環風路の圧損を少なくして乾燥効率を高めることができるとともに、循環風路内への洗剤泡の侵入を防止することができる。
【図面の簡単な説明】
【００１３】
【図１】本発明の実施の形態１における洗濯乾燥機の要部断面図
【図２】同洗濯乾燥機の図１のＡ−Ａ断面図
【図３】同洗濯乾燥機の要部斜視図
【図４】同洗濯乾燥機の風路シャッタ部の斜視図
【図５】（ａ）〜（ｃ）同洗濯乾燥機の風路シャッタの動作図
【図６】従来のドラム式洗濯乾燥機の要部背面斜視図
【発明を実施するための形態】
【００１４】
第１の発明の洗濯乾燥機は、筐体内に弾性支持した水槽と、前記水槽内に回転可能に設けたドラムと、前記ドラムを回転駆動するモータと、前記水槽の背面部に設けられた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口に設けられ前記循環風路を開閉する風路シャッタと、前記風路シャッタを駆動する駆動手段とを備え、前記導入口を開いたときに前記風路シャッタが収容される収容部が前記導入口に近接して設けられたことにより、風路シャッタを循環風路の外に配設することができ、風路シャッタによって循環風路の断面積が部分的に狭められることがなく、循環風路の圧損を少なくして乾燥効率を高めることができ、乾燥運転中の消費電力量を低減することができるとともに、循環風路内への洗剤泡の侵入を防止することができる。さらに、風路シャッタを回動により水槽側へ大きく変位させて導入口を開放することができ、循環風路からの乾燥用空気の導入を容易にすることができる。
【００１７】
第２の発明の洗濯乾燥機は、筐体内に弾性支持した水槽と、前記水槽内に回転可能に設けたドラムと、前記ドラムを回転駆動するモータと、前記水槽の背面部に設けられた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口に設けられ前記循環風路を開閉する風路シャッタと、前記風路シャッタを駆動する駆動手段とを備え、前記風路シャッタは、前記導入口を閉じる方向に付勢する付勢手段を有し、前記駆動手段は、前記付勢手段の付勢力に抗して前記導入口を開くようにしたことにより、乾燥運転中は導入口が開かれた状態に保持することができ、風路シャッタが乾燥用空気に煽られて導入口に当接することがなく、異音の発生を防止することができるとともに、導入口から乾燥用空気を安定して導入することができる。
【００１８】
第３の発明の洗濯乾燥機は、筐体内に弾性支持した水槽と、前記水槽内に回転可能に設けたドラムと、前記ドラムを回転駆動するモータと、前記水槽の背面部に設けられた導入口から乾燥用空気を導入する循環風路と、前記循環風路に送風する送風手段と、前記水槽から出た乾燥用空気を除湿する除湿手段と、前記除湿手段で除湿した乾燥用空気を加熱する加熱手段と、前記導入口に設けられ前記循環風路を開閉する風路シャッタと、前記風路シャッタを駆動する駆動手段とを備え、前記風路シャッタは、一端に前記風路シャッタを回動自在に支持する回動軸を設け、前記回動軸上に設けた第１の歯車と、前記第１の歯車と噛み合う第２の歯車と、前記第２の歯車の回転軸上に設けた第３の歯車と、前記第３の歯車と噛み合い、かつ、駆動手段と連結された第４の歯車と、前記第２の歯車の回転軸上に設けたワンウェイクラッチを有し、前記第２の歯車の一部に切欠部を設けて前記第１の歯車との連係を解除可能に構成したことにより、第２の歯車と噛み合わない角度まで第１の歯車が回転すると、付勢手段の付勢力で風路シャッタを回動させて導入口を閉じることができ、駆動手段であるモータの過熱を防止することができるとともに、洗濯中の洗剤泡の異常発泡や、給排水異常による洗剤泡や水が、循環風路に流入するのを防止することができ、さらに、モータの通電時間を少なくして、消費電力量を低減することができる。
第４の発明は、特に、第１〜第３のいずれか１つの発明において、前記風路シャッタの一端に前記風路シャッタを回動自在に支持する回動軸を設け、前記風路シャッタは、前記駆動手段により前記回動軸を中心に水槽側へ回動して前記導入口を開くようにしたことにより、洗濯時に水槽内の水位が異常に上昇した場合でも、風路シャッタが導入口を閉じる方向に水圧がかかるため、循環風路内への水の流入を防止することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態の洗濯乾燥機の要部断面図、図２は、同洗濯乾燥機の図１のＡ−Ａ断面図、図３は、同水槽の背面部内側の斜視図、図４は、同風路シャッタ部の斜視図、図５は、同風路シャッタの動作図である。
【００２１】
図１〜図５において、洗濯乾燥機の外郭を形成する筐体１内にダンパ２等で弾性支持した水槽３が設けられている。水槽３内には有底円筒状のドラム４が回転可能に設けられ、その回転軸５は前後方向へ略水平に設けられている。ドラム４の内周側面には回転軸５方向に向かって内方へ突出させた複数のバッフル６と、水槽３内と連通する多数の透孔７が設けられ、前面側には洗濯物を出し入れする開口部８が設けられている。
【００２２】
水槽３の背面部は、周縁から回転中心に向かって前面側へ膨出するように傾斜させてあり、水槽３の外背面に略円錐状に窪んだ凹部３ａが形成されている。ドラム４の背面部も水槽３の背面部と同様に、周縁から回転中心に向かって前面側へ膨出するように傾斜している。水槽３の背面部にドラム４の回転軸５を回転可能に支持する軸受部５ａを設けている。
【００２３】
水槽３の背面部にドラム４を回転駆動するモータ９が取り付けられている。このモータ９はブラシレス直流モータで構成され、インバータ制御によって回転速度が自在に変化させることができるようになっており、少なくともその一部が凹部３ａに収容されるように設けられている。水槽３内に洗濯水を給水する給水手段としての給水弁（図示せず）によって水槽３内に洗濯水を供給し、水槽３内に供給された洗濯水は透孔７からドラム４内に流入する。
【００２４】
水槽３の背面部に乾燥用空気を導入する導入口１０が設けられ、この導入口１０に循環風路１１の一端を連通接続し、ドラム４内に乾燥用空気を導入する。水槽３およびドラム４内に導入された乾燥用空気は、水槽３の上方前部に設けた排気口１２から流出し、循環風路１１に流入する。
【００２５】
循環風路１１を通してドラム４内に乾燥用空気を送風する送風手段としての送風用ファン１３は、ファンモータ１４によって駆動され、送風用ファン１３によって循環風路１１に送風される乾燥用空気は、循環風路１１を通って水槽３およびドラム４内へ循環する。
【００２６】
循環風路１１内には、排気口１２から循環風路１１に流入した乾燥用空気に含まれるリントを除去し、循環風路１１に対して着脱自在に設けたリントフィルタ１５と、リントフィルタ１５を通過した乾燥用空気を冷却除湿する除湿手段１６と、この除湿手段１６で冷却除湿された乾燥用空気を加熱する加熱手段１７を設けている。
【００２７】
除湿手段１６および加熱手段１７は、ヒートポンプ装置等で構成することができる。この場合、除湿手段１６は蒸発器で構成され、加熱手段１７は凝縮器で構成される。
【００２８】
なお、除湿手段１６および加熱手段１７は、ヒートポンプ装置以外でも構成することができる。この場合、除湿手段１６は水冷または空冷の熱交換器で構成され、加熱手段１７はヒータ等で構成される。
【００２９】
送風用ファン１３によって送風される乾燥用空気は、除湿手段１６で冷却除湿され、加熱手段１７で加熱された後、導入口１０からドラム４内へ供給され、ドラム４内で洗濯物と接触し水分を奪って湿った空気は、透孔７から水槽３内へ出て排気口１２から循環風路１１に戻り、水槽３の上部で前方から後方へ流れて、図１中の矢印イ方向へ循環する。
【００３０】
水槽３の背面部に設けた導入口１０は、略長方形に形成し、長辺部１０ａと短辺部１０ｂを有している。導入口１０には、循環風路１１を開閉する風路シャッタ１８を設けている。風路シャッタ１８は、その一端に設けた回動軸１８ａによって回動自在に支持され、モータ等の駆動手段１９により回動軸１８ａを中心に水槽３側へ回動し、導入口１０を循環風路１１の外側へ矢印ロ方向に開くように構成している。
【００３１】
水槽３の背面部には、導入口１０に近接して収容部２０が設けられ、長辺部１０ａに沿って設けられた回動軸１８ａを中心に、風路シャッタ１８を水槽３側へ回動して導入口１０を開いたときに、風路シャッタ１８が収容部２０内に収容されるように構成している。
【００３２】
収容部２０は、水槽３の背面に形成した凹部３ａによって前後方向に十分な空間を確保することができ、風路シャッタ１８の先端部が導入口１０から最も離れた位置（例えば、９０°回動）まで変位させて開成することができる。
【００３３】
また、風路シャッタ１８は、ばね等の付勢手段２１によって導入口１０を閉じる方向に付勢されており、駆動手段１９は、付勢手段２１の付勢力に抗して導入口１０を開くように構成している。
【００３４】
導入口１０は、短辺部１０ｂがドラム４の半径方向となるように設けてあり、長辺部１０ａに設けた回動軸１８ａによって風路シャッタ１８をコンパクトに開閉できるようにしている。導入口１０の周縁部には、乾燥用空気の流出側に突出したリブ１０ｃが収容部２０内に設けてあり、風路シャッタ１８の閉塞面と当接する。導入口１０のリブ１０ｃと当接する風路シャッタ１８の閉塞面は、ゴム等の弾性体１８ｂが設けてあり、付勢手段２１の付勢力で導入口１０を確実に閉じることができる。
【００３５】
風路シャッタ１８は、風路シャッタ１８を回動自在に支持する回動軸１８ａ上に設けた第１の歯車２２と、第１の歯車２２と噛み合う第２の歯車２３と、第２の歯車２３の回転軸２３ａ上に設けた第３の歯車２４と、第３の歯車２４と噛み合い、かつ、駆動手段１９と連結された第４の歯車２５と、第２の歯車２３の回転軸２３ａ上に設けた一方向の回転を規制するワンウェイクラッチ２６を有している。そして、第２の歯車２３の歯を一定角度のみに設け、第２の歯車２３の歯の一部を切欠いた切欠部２３ｂを設けている。
【００３６】
制御手段２７は、筐体１内の前方下部に配設され、モータ９等を制御して、洗濯、すすぎ、脱水、乾燥の各工程を制御する。
【００３７】
以上のように構成された洗濯乾燥機において、以下その動作、作用を説明する。筐体１の前面側に開閉自在に設けた扉２８を開いて開口部８からドラム４内に洗濯物を投入した後、筐体１の上面前部に設けた操作部の電源スイッチ（図示せず）をオンし、スタートスイッチ（図示せず）を操作して運転を開始すると、投入された洗濯物の量が検知される。
【００３８】
洗濯は、洗い工程、すすぎ工程、脱水工程の順に実行される。洗い工程は、投入された洗濯物の量の判定に続いて開始され、検知した洗濯物の重量によってあらかじめ設定された水量が水槽３内へ導入され、所定量の洗剤を投入する。水槽３内に供給された洗濯水は透孔７からドラム４内に流入する。
【００３９】
洗濯が開始され、洗い工程に入ると、モータ９を駆動し、洗濯物がドラム４内に設けられたバッフル６によってドラム４の回転方向に沿って持ち上げられ、ドラム４内の上部から重力によって落下し、落下時の機械力が洗濯物に加えられる回転速度、例えば、３０〜５０ｒｐｍで正転と反転の動作を交互に繰り返す。これにより、洗濯物がドラム４内で叩き洗いされる。
【００４０】
洗い工程では、洗剤の溶け込んだ洗濯水が水槽３の底部に溜められた状態であるため、ドラム４の下部が洗濯水に浸かった状態である。したがって、ドラム４を回転させると、洗濯水を撹拌して泡を発生させる。
【００４１】
洗濯時は、駆動手段１９により第４の歯車２５を回転させ、第２の歯車２３の歯の一部を切欠いた切欠部２３ｂを第１の歯車２２に対向させて噛み合いを離脱させる。これにより、第２の歯車２３と第１の歯車２２との連係が解除され、風路シャッタ１８は、付勢手段２１によって導入口１０を閉じる方向に付勢され、循環風路１１に連通接続した導入口１０が、図５（ａ）に示すように閉じられるため、水槽３内で発生する洗剤泡や洗濯水が循環風路１１内へ侵入するのを防止することができる。
【００４２】
すなわち、ワンウェイクラッチ２６により、風路シャッタ１８が導入口１０を閉じる方向へ回動しないため、第２の歯車２３の歯を一定角度のみに設けることで、第２の歯車２３と噛み合わない角度まで第１の歯車２２が回転すると、付勢手段２１の付勢力により、風路シャッタ１８を回動させて導入口１０を閉じることができる。
【００４３】
そのため、駆動手段１９であるモータの過熱を防止し、洗濯中の洗剤泡の異常発泡や、給排水異常による洗剤泡や水が、導入口１０から循環風路１１に流入するのを防止することができ、かつ、駆動手段１９であるモータの通電時間を少なくすることができるため、消費電力量も低減することができる。
【００４４】
洗い工程に続いて、すすぎ工程、脱水工程が実行された後、乾燥工程が実行される。乾燥工程では、駆動手段１９により回動軸１８ａを中心に風路シャッタ１８を水槽３側へ回動し、付勢手段２１の付勢力に抗して導入口１０を開く。風路シャッタ１８を回動して導入口１０を開いたとき、風路シャッタ１８は収容部２０内に位置し、図５（ｃ）に示すように、導入口１０を大きく開放することができ、循環風路１１の外で風路シャッタ１８の開閉動作をおこなうことができる。
【００４５】
特に、風路シャッタ１８の開成位置を、導入口１０の周縁部に設けたリブ１０ｃより外側、すなわち、導入口１０から吹き出す乾燥用空気の流れから外れるようにすると、乾燥用空気のドラム４内への導入に抵抗が少なく円滑にすることができる。
【００４６】
乾燥工程中に、風路シャッタ１８の開放状態を維持する場合、駆動手段１９であるモータに通電をし続けるとモータが過熱されるため、第１の歯車２２が導入口１０を閉じる方向へ回転しないようにワンウェイクラッチ２６が取り付けられており、風路シャッタ１８を導入口１０が開かれた状態に維持して、駆動手段１９であるモータへの通電を切ることができる。
【００４７】
また、乾燥工程中は、風路シャッタ１８が導入口１０を開いた状態に保持されているので、送風用ファン１３から送風された乾燥用空気の風圧により、風路シャッタ１８が煽られて異音の発生を防止することができるとともに、導入口１０から乾燥用空気を安定して導入することができる。
【００４８】
また、制御手段２７は、風路シャッタ１８による導入口１０の開き角度を変化させて、導入口１０から導入される乾燥用空気の風向きを調整可能に構成している。開き角度は、導入口１０が閉じられている図５（ａ）の状態と、開かれている図５（ｃ）の状態の間で設定され、例えば、図５（ｂ）の状態に設定することで、風路シャッタ１８を上向きに傾斜させることができ、風向きを図５（ｃ）の状態と異ならせることができる。
【００４９】
なお、風路シャッタ１８の回動軸１８ａをドラム４の回転軸５から離れた位置、すなわち、導入口１０の反対側（図５では、導入口１０の上端）に設けると、風路シャッタ１８を下向きに傾斜させた状態で導入口１０を開くことができ、ドラム４の回転中心に向けて乾燥用空気を導入することができる。
【００５０】
また、風路シャッタ１８の傾斜方向により、乾燥用空気の風向きをドラム４の回転方向に設定することができる。この場合、ドラム４内で回転方向に撹拌される衣類等の撹拌流に沿って乾燥用空気を円滑に導入することができ、衣類等への乾燥用空気の接触を良好にして、乾燥効率を高めることができる。
【００５１】
また、乾燥用空気の風向きは、ドラム４の回転方向と逆方向に設定することができる。この場合、導入される乾燥用空気により、ドラム４内で回転方向に撹拌される衣類等に対して撹拌流を生成することができ、衣類等への乾燥用空気の接触を良好にして、乾燥効率を高めることができる。
【００５２】
また、制御手段２７は、風路シャッタ１８による導入口１０の開き度合い、及び／又は送風用ファン１３による送風量を変化させて、導入口１０から導入される乾燥用空気の風速を調整可能に構成している。これにより、ドラム４内の衣類等を最適に乾燥することができる。
【００５３】
以上のように、本実施の形態においては、筐体１内に弾性支持した水槽３と、水槽３内に回転可能に設けたドラム４と、ドラム４を回転駆動するモータ９と、水槽３の背面部から乾燥用空気を導入する循環風路１１と、循環風路１１に送風する送風手段１３と、水槽３から出た乾燥用空気を除湿する除湿手段１６と、除湿手段１６で除湿した乾燥用空気を加熱する加熱手段１７と、循環風路１１を開閉する風路シャッタ１８と、風路シャッタ１８を駆動する駆動手段１９とを備え、水槽３の背面部に導入口１０を設けて循環風路１１を連通接続し、導入口１０に循環風路１１を開閉する風路シャッタ１８を設けたものであり、風路シャッタ１８を循環風路１１の外に配設することができ、風路シャッタ１８によって循環風路１１の断面積が部分的に狭められることがなく、循環風路１１の圧損を少なくして乾燥効率を高めることができ、乾燥運転中の消費電力量を低減することができるとともに、循環風路１１内への洗剤泡の侵入を防止することができる。
【００５４】
また、風路シャッタ１８の一端に風路シャッタ１８を回動自在に支持する回動軸１８ａを設け、風路シャッタ１８は、駆動手段１９により回動軸１８ａを中心に水槽３側へ回動して導入口１０を開くようにしたものであり、洗濯時に水槽３内の水位が異常に上昇した場合でも、風路シャッタ１８が導入口１０を閉じる方向に水圧がかかるため、導入口１０から循環風路１１内への水の流入を防止することができる。
【００５５】
また、風路シャッタ１８は、導入口１０を閉じる方向に付勢する付勢手段２１を有し、駆動手段１９は、付勢手段２１の付勢力に抗して導入口１０を開くようにしたものであり、乾燥運転中は、導入口１０が開かれた状態に保持することができ、風路シャッタ１８が乾燥用空気に煽られて導入口１０に当接することがなく、異音の発生を防止することができるとともに、導入口１０から乾燥用空気を安定して導入することができる。
【００５６】
また、水槽３の背面部に導入口１０に近接して収容部２０を設け、導入口１０を開いたときに風路シャッタ１８を収容部２０に収容可能に構成したものであり、風路シャッタ１８を回動により水槽３側へ大きく変位させて導入口１０を開放することができ、循環風路１１からの乾燥用空気の導入を容易にすることができる。
【００５７】
また、風路シャッタ１８は、一端に風路シャッタ１８を回動自在に支持する回動軸１８ａを設け、回動軸１８ａ上に設けた第１の歯車２２と、第１の歯車２２と噛み合う第２の歯車２３と、第２の歯車２３の回転軸２３ａ上に設けた第３の歯車２４と、第３の歯車２４と噛み合い、かつ、駆動手段１９と連結された第４の歯車２５と、第２の歯車２３の回転軸２３ａ上に設けたワンウェイクラッチ２６を有し、第２の歯車２３の一部に切欠部２３ｂを設けて第１の歯車２２との連係を解除可能に構成したものであり、第２の歯車２３と噛み合わない角度まで第１の歯車２２が回転すると、付勢手段２１の付勢力で風路シャッタ１８を回動させて導入口１０を閉じることができ、駆動手段１９であるモータの過熱を防止し、洗濯中の洗剤泡の異常発泡や、給排水異常による洗剤泡や水が、循環風路１１に流入するのを防止することができ、さらに、モータの通電時間が減少できるため、消費電力量も低減することができる。
【産業上の利用可能性】
【００５８】
以上のように、本発明にかかる洗濯乾燥機は、循環風路の圧損を少なくして乾燥効率を高めることができるとともに、循環風路内への洗剤泡の侵入を防止することができるので、洗濯乾燥機として有用である。
【符号の説明】
【００５９】
１    筐体
３    水槽
４    ドラム
９    モータ
１０  導入口
１１  循環風路
１３  送風用ファン（送風手段）
１６  除湿手段
１７  加熱手段
１８  風路シャッタ
１９  駆動手段
【図１】
0005895122.tif 000002
【図２】
0005895122.tif 000003
【図３】
0005895122.tif 000004
【図４】
0005895122.tif 000005
【図５】
0005895122.tif 000006
【図６】
0005895122.tif 000007